(57)【要約】【課題】ＰＣ機器及びＡＶ機器の双方と接続して同時動作を可能にした記録再生装置において、ＰＣ接続系及びＡＶ接続系が同時動作中でもそれぞれの接続系に対するパワーセーブ制御が最適に行われる記録再生装置を提供する。【解決手段】パワーモード制御部７を備え、このパワーモード制御部７が、ブロックデータ制御部６が解析したＰＣ機器からのパワーモード要求と、ストリームデータ制御部１１が解析したＡＶ機器からの制御要求と、ストリームデータ制御部１１が認識したＡＶ接続系の状態の変化と、ストリームデータ監視部１２からのストリームデータの受信状態に関する監視結果に基づいて、パワーモード制御要求を作成し、データ蓄積部２に発行する。【選択図】      図１
2004220382.tif 000002
【特許請求の範囲】
【請求項１】
時系列上でのデータタイミングに依存しないブロックデータをデータ通信に適合したパケットデータにして通信する、または前記パケットデータおよび第１の制御要求を受信するパケットデータ通信部と、
前記パケットデータ通信部が受信した第１の制御要求を解析するブロックデータ制御部と、
前記パケットデータ通信部が受信したパケットデータをブロックデータに組み替える、またはブロックデータをパケットデータに組み替えて前記パケットデータ通信部に送るブロックデータ通信部と、
時系列上のタイミングに依存し、圧縮符号化された符号化データを送受信する、または前記符号化データを通信するための第２の制御要求を受信する符号化データ通信部と、
前記符号化データ通信部が受信した第２の制御要求を解析するストリームデータ制御部と、
前記符号化データを或るデータ集合単位にまとめたストリームデータに組み替える、またはストリームデータを時系列上のデータタイミングに依存する符号化データに変換して前記符号化データ通信部に送るストリームデータ通信部と、
前記符号化データが受信されているか否かを監視するストリームデータ監視部と、
前記ブロックデータまたは前記ストリームデータを一時的に格納するデータバッファ部と、
後述するデータ蓄積部にパワーモード制御要求を発行するパワーモード制御部と、
前記データバッファ部との間で、前記ブロックデータの書き込み若しくは読み出し、または前記ストリームデータの記録若しくは再生を行うために前記ストリームデータの書き込み若しくは読み出しを行なうとともに、前記パワーモード制御部が発行するパワーモード制御要求に従ったパワーモードで動作するデータ蓄積部と、を備え、
前記ストリームデータ制御部は、前記記録再生装置が、前記ストリームデータに対して、再生、記録、再生の停止、記録の停止、のいずれの動作を実行中かを認識し、
前記パワーモード制御部は、前記ブロックデータ制御部から通知される前記第１の制御要求の解析結果と、前記ストリームデータ制御部から通知される前記第２の制御要求の解析結果及びストリームデータの状態を示す認識結果と、前記ストリームデータ監視部から通知される監視結果とに基づいて、前記パワーモード制御要求を発行する、
ことを特徴とする記録再生装置。
【請求項２】
請求項１に記載の記録再生装置において、
前記ブロックデータは、ＩＥＥＥ１３９４インターフェースで取り扱えるアシンクロナスデータであり、
前記符号化データは、ＩＥＥＥ１３９４インターフェースで取り扱えるアイソクロナスデータであり、
前記データ蓄積部は、磁気、光等の記録媒体を使用する記録装置またはメモリ装置等のランダムアクセス装置である、
ことを特徴とする記録再生装置。
【請求項３】
請求項１に記載の記録再生装置において、
前記パワーモード制御部は、
前記ブロックデータ制御部から前記第１の制御要求が消費電力の制御要求、すなわちパワーセーブ要求であるという通知を受けた際に、前記ストリームデータ制御部から前記ストリームデータの再生が実行されているという通知または前記第２の制御要求が再生開始要求であるという通知を受けた場合には、前記データ蓄積部に対してパワーセーブモードで動作することを中断させるためのパワーモード制御要求を発行し、その後、前記ストリームデータ制御部からストリームデータの再生が停止されたという通知を受けた場合には、直ちに前記データ蓄積部に対してパワーセーブモードで動作させるためのパワーモード制御要求を発行する、
ことを特徴とする記録再生装置。
【請求項４】
請求項１に記載の記録再生装置において、
前記パワーモード制御部は、
前記ブロックデータ制御部から前記第１の制御要求が消費電力の制御要求、すなわちパワーセーブ要求であるという通知を受けた際に、前記ストリームデータ制御部からストリームデータの録画が実行されているという通知または前記第２の制御要求が録画開始要求であるという通知を受け、さらに、前記ストリームデータ監視部から前記符号化データを受信中であるという通知を受けた場合には、前記データ蓄積部に対してパワーセーブモードで動作することを保留または中断させるためのパワーモード制御要求を発行し、その後、前記ストリームデータ制御部からストリームデータの録画が停止されたという通知を受けた場合には、直ちに前記データ蓄積部に対してパワーセーブモードで動作させるためのパワーモード制御要求を発行する、
ことを特徴とする記録再生装置。
【請求項５】
請求項１に記載の記録再生装置において、
前記パワーモード制御部は、
前記ブロックデータ制御部から前記第１の制御要求が消費電力の制御要求、すなわちパワーセーブ要求であるという通知を受けた際に、前記ストリームデータ制御部からストリームデータの録画が実行されているという通知を受けたが、前記ストリームデータ監視部から前記符号化データが受信されていない口空き状態である若しくは該口空き状態にすでになっていたという通知を受けた場合、または前記ストリームデータ制御部からストリームデータの再生及び録画が停止されているという通知を受けた場合には、前記データ蓄積部に対してパワーセーブモードで動作させるためのパワーモード制御要求を発行し、その後、前記ストリームデータ監視部から口空き状態でなくなったという通知を受けた場合には、直ちに前記データ蓄積部に対してパワーセーブモードでの動作を解除させるためのパワーモード制御要求を発行する、
ことを特徴とする記録再生装置。
【請求項６】
時系列上のタイミングに依存し、圧縮符号化された符号化データを送受信する、または符号化データを通信するための制御要求を受信する符号化データ通信部と、
前記符号化データ通信部が受信した制御要求を解析するストリームデータ制御部と、
前記符号化データを或るデータ集合単位にまとめたストリームデータに組み替える、またはストリームデータを時系列上のデータタイミングに依存する符号化データに変換して前記符号化データ通信部に送るストリームデータ通信部と、
前記符号化データが受信されているか否かを監視するストリームデータ監視部と、
前記ストリームデータを一時的に格納するデータバッファ部と、
後述するデータ蓄積部にパワーモード制御要求を発行するパワーモード制御部と、
前記データバッファ部との間で、前記ストリームデータの録画または再生を行うために前記ストリームデータの書き込みまたは読み出しを行なうとともに、前記パワーモード制御部が発行するパワーモード制御要求に従ったパワーモードで動作するデータ蓄積部と、を備え、
前記ストリームデータ制御部は、前記記録再生装置が、前記ストリームデータに対して、記録、再生、再生の停止、記録の停止、のいずれの動作を実行中かを認識し、
前記パワーモード制御部は、前記ストリームデータ制御部から通知される前記制御要求の解析結果、ストリームデータの状態を示す認識結果、前記データ蓄積部の動作特性、前記データバッファ部の容量、及びストリームデータのデータ転送レートと、前記ストリームデータ監視部から通知される符号化データの受信状態とに基づいて、前記パワーモード制御要求を発行する、
ことを特徴とする記録再生装置。
【請求項７】
請求項６に記載の記録再生装置において、
前記パワーモード制御部は、前記データ蓄積部の動作特性、前記データバッファ部の容量、及び前記ストリームデータの転送レートに基づいて、前記データバッファ部のストリームデータ用に割り当てられる容量と、前記データバッファ部にその容量分のストリームデータが格納される時間、すなわちストリームデータ処理時間と、前記データ蓄積部がパワーセーブモードで動作しない場合、ストリームデータ処理時間中に前記データバッファ部のストリームデータを前記データ蓄積部に移動させるために消費する通常動作消費電力値と、前記データ蓄積部がパワーセーブモードで動作する場合、ストリームデータ処理時間中に前記データバッファ部のストリームデータを前記データ蓄積部に移動させるために消費する低消費電力値とを算出するとともに、前記通常動作消費電力値と前記低消費電力値とを比較し、前記データ蓄積部に対してより少ない消費電力モードで動作させるためのパワーモード制御要求を発行する、
ことを特徴とする記録再生装置。
【請求項８】
請求項１に記載の記録再生装置において、
前記パワーモード制御部は、前記ブロックデータ制御部から通知される前記第１の制御要求の解析結果と、前記ストリームデータ制御部から通知される前記第２の制御要求の解析結果、ストリームデータの状態、前記データ蓄積部の動作特性、前記データバッファ部の容量、及びストリームデータのデータ転送レートと、前記ストリームデータ監視部から通知される符号化データの受信状態とに基づいて、前記パワーモード制御要求を発行するものであり、
前記データ蓄積部の動作特性、前記データバッファ部の容量、及び前記ストリームデータ転送レートに基づいて、前記データバッファ部のストリームデータ用に割り当てられる容量と、前記データバッファ部にその容量分のストリームデータが格納される時間、すなわちストリームデータ処理時間と、前記データ蓄積部がパワーセーブモードで動作しない場合、ストリームデータ処理時間中に前記データバッファ部のストリームデータを前記データ蓄積部に移動させるために消費する通常動作消費電力値と、前記データ蓄積部がパワーセーブモードで動作する場合、ストリームデータ処理時間中に前記データバッファ部のストリームデータを前記データ蓄積部に移動させるために消費する低消費電力値とを算出するとともに、前記通常動作消費電力値と前記低消費電力値とを比較し、前記データ蓄積部に対してより少ない消費電力モードで動作させるためのパワーモード制御要求を発行する、
ことを特徴とする記録再生装置。
【請求項９】
請求項８に記載の記録再生装置において、
前記ブロックデータ制御部は、前記第１の制御要求を解析して、ブロックデータ転送相手が存在するか否かを判断し、その判断結果を前記パワーモード制御部に通知し、
前記パワーモード制御部は、前記ブロックデータ制御部からブロックデータ転送相手が存在しないまたは存在しなくなったという通知を受けた際に、前記ストリームデータ制御部から前記ストリームデータの再生が実行されているという通知または前記第２の制御要求が再生開始要求であるという通知を受け、さらに、前記低消費電力値が前記通常動作消費電力値より低いと判断した場合に、前記データ蓄積部に対して低消費電力モードで動作させるためのパワーモード制御要求を発行する、
ことを特徴とする記録再生装置。
【請求項１０】
請求項８に記載の記録再生装置において、
前記ブロックデータ制御部は、前記第１の制御要求を解析して、ブロックデータ転送相手が存在するか否かを判断し、その判断結果を前記パワーモード制御部に通知し、
前記パワーモード制御部は、前記ブロックデータ制御部からブロックデータ転送相手が存在しないまたは存在しなくなったという通知を受けた際に、前記ストリームデータ制御部からストリームデータの録画が実行されているという通知または前記第２の制御要求がストリームデータの録画開始要求であるという通知と、前記ストリームデータ監視部から前記符号化データが受信中であるという通知とを受け、さらに、前記低消費電力値が前記通常動作消費電力値より低いと判断した場合に、前記データ蓄積部に対して低消費電力モードで動作させるためのパワーモード制御要求を発行する、
ことを特徴とする記録再生装置。
【請求項１１】
請求項８に記載の記録再生装置において、
前記ブロックデータ制御部は、前記第１の制御要求を解析して、ブロックデータ転送相手が存在するか否かを判断し、その判断結果を前記パワーモード制御部に通知し、
前記パワーモード制御部は、前記ブロックデータ制御部からブロックデータ転送相手が存在しないまたは存在しなくなったという通知を受けた際に、前記ストリームデータ制御部からストリームデータの録画が実行されているという通知を受けたが、前記ストリームデータ監視部から符号化データが受信されていない口空き状態若しくは該口空き状態にすでになっていたという通知を受けた場合、または前記ストリームデータ制御部からストリームデータの再生及び録画が停止されているという通知を受けた場合には、前記データ蓄積部に対して通常動作消費電力モードで動作させるためのパワーモード制御要求を発行し、その後、前記ストリームデータ監視部から口空き状態が解除されたという通知を受け、さらに、前記低消費電力値が通常動作消費電力値より低いと判断した場合に、前記データ蓄積部に対して低消費電力モードで動作させるためのパワーモード制御要求を発行する、
ことを特徴とする記録再生装置。
【請求項１２】
請求項８に記載の記録再生装置において、
前記ブロックデータ制御部は、前記第１の制御要求を解析して、ブロックデータ転送相手が存在するか否かを判断し、その判断結果を前記パワーモード制御部に通知し、
前記パワーモード制御部は、前記ブロックデータ制御部からブロックデータ転送相手が存在しているという通知と、前記第１の制御要求が消費電力の制御要求、すなわちパワーセーブ要求であるという通知とを受け、さらに、前記低消費電力値が通常動作消費電力値より低いと判断した場合に、前記データ蓄積部に対して低消費電力モードで動作させるためのパワーモード制御要求を発行する、
ことを特徴とする記録再生装置。
【請求項１３】
請求項７または８に記載の記録再生装置において、
前記符号化データは、ＩＥＥＥ１３９４インターフェースで取り扱えるアイソクロナスデータであり、
前記データ蓄積部は、磁気、光等の媒体記憶装置またはメモリ装置等のランダムアクセス装置である、
ことを特徴とする記録再生装置。
【発明の詳細な説明】
【０００１】
【発明の属する技術分野】
本発明は、記録再生装置に関するものであり、特に、ＰＣ機器とＡＶ機器との双方と接続してＡＶ接続系とＰＣ接続系とを構成し、ＰＣ接続系とＡＶ接続系との同時動作を可能にした記録再生装置の消費電力の制御に関する改良を図ったものである。
【０００２】
【従来の技術】
最近、ＩＥＥＥ１３９４インターフェースが普及し始めてきており、ＡＶ分野、ＰＣ分野双方でこのインターフェースを利用した機器が普及し始めている。最初に普及し始めたのはＡＶ分野のデジタルビデオカメラ（ＤＶＣ）からであり、ＤＶフォーマット形式のストリームデータで通信が行われる。また、最近では、デジタル放送にも普及し始めており、この場合は、ＭＰＥＧ−ＴＳフォーマット形式のストリームデータで通信が行われる。また、ＩＥＥＥ１３９４インターフェースを介してＡＭフォーマット形式のストリームデータで音楽の通信も行われている。
【０００３】
また、ＩＥＥＥ１３９４対応のハードドディスクドライブ（ＨＤＤ）を使用したＰＣ機器も普及している。最近では、ＩＥＥＥ１３９４対応のＨＤＤを使用したＡＶ機器も徐々に普及しつつある。なお、ＨＤＤとは、非可撓性の磁気ディスクに対し磁気ヘッドでデータの記録再生を行う記録再生装置のことを指す。以下、ＩＥＥＥ１３９４及びＨＤＤを使用した現状のＰＣ機器及びＡＶ機器の構成を簡単に説明する。
【０００４】
ＩＥＥＥ１３９４及びＨＤＤを用いてＰＣ機器を構成する場合、ＨＤＤはＰＣ機器の外部ＨＤＤとして使用される。ＰＣ機器がＩＥＥＥ１３９４を通して外部ＨＤＤにアクセスする場合は、内蔵ＨＤＤにアクセスする場合と以下の点で異なる。即ち、外部ＨＤＤにアクセスする場合は、インターフェースがＩＥＥＥ１３９４のため、ＰＣ機器は、ＨＤＤの制御コマンド、及び記録すべきデータをこのインターフェースに適合した非同期パケット（ＡＳＹＮＣＨＲＯＮＯＵＳパケット）に載せて通信し、さらに、ＡＳＹＮＣＨＲＯＮＯＵＳパケット構成に関する付加情報も制御コマンド、及びデータに付随して通信する。よって、外部ＨＤＤもデータを通信する際は、データをＡＳＹＮＣＨＲＯＮＯＵＳパケットに載せて通信する。このようなデータ転送のプロトコルとしてはＳＢＰ−２規格というものが存在している。
【０００５】
以下、ＰＣ機器の外部ＨＤＤとして使用されるＨＤＤについて図６を用いて説明する。図６は、その外部ＨＤＤ６００の構成を示すブロック図である。
外部ＨＤＤ６００は、まず、ＩＥＥＥ１３９４ケーブル３を通して送られてくるＡＳＹＮＣＨＲＯＮＯＵＳパケットを、パケットデータ通信部５に格納する。一般的に、パケットデータ通信部５はＩＥＥＥ１３９４で定義するＰＨＹ（物理層）及びＬＩＮＫ（リンク層）と呼ばれている構成要素である。パケットデータ通信部５は受信したパケットが、制御要求かデータかを判断し、制御要求の場合はそのパケットをブロックデータ制御部６に送る。ブロックデータ制御部６は送られてきたパケットを格納するとともに、そのパケットからＡＴＡ（ＡＴ  Ａｔｔａｃｈｍｅｎｔ）コマンド、即ちハードディスクの制御用コマンドを抽出する。一方、受信したパケットがデータの場合、パケットデータ通信部５は受信したパケットをブロックデータ通信部９に送る。ブロックデータ通信部９は送られてきたパケットを格納する。なお、ブロックデータ通信部９には、ファイルを始めとする時系列上のタイミングに依存しないブロックデータを、ＩＥＥＥ１３９４インターフェースで転送するために最適なパケット構成にする機能と、ＩＥＥＥ１３９４ケーブル３から受け取ったパケットデータを、ＨＤＤ内で取り扱いが容易なブロックデータ構成に変換する機能、及びデータバッファ部８との通信制御機能とを有している。
【０００６】
なお、上述の、パケットデータ通信部５、ブロックデータ制御部６、及びブロックデータ通信部９は、一般的に、ＳＢＰ−２  ＬＩＮＫチップとして１チップ化されている。また、ブロックデータ通信部９で一時的に取り扱えるデータは限られているため（数ＫＢ程度）、ＨＤＤ６００には、より大きなブロックデータ単位（クラスタ単位で行われる場合が多い）でデータの読み出し及び書き込みを行えるようにするために、データバッファ部８を設けており、データ蓄積部２に対するコマンドオーバーヘッドを削減している。データ蓄積部２は現状ＩＤＥ（Ｉｎｔｅｇｒａｔｅｄ  Ｄｒｉｖｅ  Ｅｌｅｃｔｒｏｎｉｃｓ）タイプのＨＤＤを使用するのが主流であり、ブロックデータ制御部６からの要求に応答し、必要に応じてデータバッファ部８とのデータ通信を行う。
【０００７】
続いて、ＩＥＥＥ１３９４及びＨＤＤを用いた現状のＡＶ機器について説明する。ＩＥＥＥ１３９４対応のＨＤＤを使用したＡＶ機器は、以下に示す理由により徐々に普及しつつある。それは、ＰＣの周辺機器として普及してきたＨＤＤが、以下の例に説明するような著しい性能の向上を見せており、ＡＶ分野でも充分利用可能になってきたからである。すなわち、第１に、ＨＤＤの記録密度が、現在でも年２倍の割合で増加しており、３．５ｉｎｃｈで１ディスクあたり２０ＧＢを達成していて、この記録密度の上昇に伴い、ＨＤＤのビット単価の下落が進み、１Ｍバイトあたり１円を切っていること、第２に、データ転送速度が、平均的なシーク時間や回転待ち時間を考慮しても、最もデータ転送速度が遅い内周で１００Ｍビット／秒を超える速度が実現されていて、これにより、ＤＶＣ（２８．８Ｍビット／秒が必要とされる）の編集機器用途やデジタル放送（ＨＤＴＶ）並み画質のＭＰＥＧ２ストリームを３本同時に処理（９０Ｍビット／秒が必要とされる）することも可能となってきていること、第３に、大容量化が実現され、３０ＧＢを超えるものも出現していて、ＨＤＴＶ画質、ＭＰＥＧ２ストリーム記録で２．５時間（映画１本分）の蓄積が可能になっていること、が挙げられる。以上のように、価格、シーケンシャルアクセス性、録画時間すなわち容量に関して、ＨＤＤはＡＶ分野でも使用可能なレベルになってきている。
【０００８】
そして、以上のような特徴に加えて元々のＨＤＤの特徴であるランダムアクセス性を活かすことで、ＨＤＤをＤＶＣの編集装置、デジタル放送用セットトップボックス（ＳＴＢ）に内蔵して、またはビデオレコーダとして利用し、デジタルデータの記録再生を行なうとともに、さらに今までにない機能を実現することが可能になった。
【０００９】
以下、ＡＶ機器として用いられるＨＤＤについて図７を用いて説明する。図７は、そのＨＤＤの構成を示すブロック図である。
外部ＨＤＤ７００は、図示しないＡＶ機器からＩＥＥＥ１３９４ケーブル４を通して送られてくるＡＳＹＮＣＲＯＮＯＵＳパケット及びＩＳＯＣＨＲＯＮＯＵＳパケットを受信する。ここでは、制御要求を示すＡＴＡコマンドがＡＳＹＮＣＲＯＮＯＵＳパケット構成で、時系列上のタイミングに依存したＤＶフォーマットまたはＭＰＥＧフォーマットの符号化データがＩＳＯＣＨＲＯＮＯＵＳパケット構成で、それぞれ送られてくる。この符号化データとしては、例えば、復調されたデジタル放送信号や、デジタル化されたビデオ信号が考えられる。符号化データ通信部１０は、一般的に、ＩＥＥＥ１３９４規格ではＰＨＹ及びＬＩＮＫと呼ばれている構成要素である。符号化データ通信部１０は受信したパケットが、制御要求か符号化データかを判断し、制御要求の場合はそのパケットをストリームデータ制御部１１に送る。ストリームデータ制御部１１は送られてきたパケットを格納するとともに、そのパケットからＡＶコマンドを取り出する。一方、データの場合はそのパケットをストリームデータ通信部１２に送る。ストリームデータ通信部１２は送られてきたパケットを格納する。なお、ストリームデータ通信部１２は、ストリームデータをＩＥＥＥ１３９４インターフェースで転送するために最適なパケット構成にする機能と、ＩＳＯＣＨＲＯＮＯＵＳパケット構成で送られてきた符号化データを、実際にＨＤＤ内部で取り扱えるようなデータタイミングとデータ構成とを有するように変換する機能とを有している。上述の、符号化データ通信部１０、ストリームデータ制御部１１、ストリームデータ通信部１２は、一般的に、ＡＶプロトコルＬＩＮＫチップとして１チップ化されている。
【００１０】
データバッファ部８では、ストリームデータ通信部１２と通信するデータをユーザが定義した単位で固めて、データ蓄積部２と通信する。単位の決め方は設計者の判断に依存するものであり、今回のパワーモード制御にはあまり関与しないので概略だけを説明すると、例えばＤＶデータを扱う機器の一例であるＤＶ編集機では、フレームと呼ばれる１画像分のデータを１単位としている。また、ＭＰＥＧデータでは、例えば、１ＩＳＯＣＨＲＯＮＯＵＳデータ単位毎にタイムスタンプ情報を付加してより高精度の時間情報を付加し、あらかじめ決められた容量分のデータがたまった段階でその集合毎にその集合の開始時間情報、構成ピクチャ情報、特殊再生情報等のデータを付加してあらたにＤＡＵ（Ｄａｔａ  Ａｃｃｅｓｓ  Ｕｎｉｔ）という単位を定義している。そして、この場合、データバッファ部８とデータ蓄積部２とのデータ通信は、複数フレームまたはＤＡＵが集まった段階で行われる。ストリームデータ監視部１３は、ＡＶ機器からの制御要求が録画要求（ＲＥＣコマンド）の場合、ストリームデータ通信部１２を監視して、ストリームデータがＡＶ接続系で流れているか否かを常に監視する。
【００１１】
また、ＩＥＥＥ１３９４インターフェースは、同じ物理ケーブルでＰＣ機器、及びＡＶ機器を接続することができるという特徴を有している。よって、ＩＥＥＥ１３９４インターフェース対応のＰＣ機器とＡＶ機器との双方に対して物理的な接続とともに、論理的な接続を可能にすれば、１台の外部ＨＤＤ機器でＰＣ機器及びＡＶ機器双方からの制御要求及びデータの通信も可能になる。さらに、１台の機器でＰＣ機器及びＡＶ機器との同時動作が可能なＰＣ−ＡＶ共存システムも考えられる。現状では、このようなシステムを実現可能な特許として、特開平１１−２４２５６３号公報に開示されたシステムが存在するが、実際の機器としては実施されていない。
【００１２】
このＰＣ−ＡＶシステムを用いれば、ＡＶ機器、例えばＤＶＣとＰＣ−ＡＶ共存システムとを接続してＡＶ接続系を形成したり、またＰＣ機器とＰＣ−ＡＶ共存システムとを接続してＰＣ接続系を形成したりすることが可能である。またＰＣ接続系とＡＶ接続系との双方の共存も実現可能であり、これにより、例えばＤＶＣからＰＣ−ＡＶ共存システムに対してダビングを行って、後の編集作業を容易にするとともに、ＰＣ機器からはＤＶ編集ソフトを使用して、ＰＣ−ＡＶ共存システムを仮想ＤＶＣとして使用することも可能である。
【００１３】
ＰＣ−ＡＶ共存システムを実現する機器の一例としてＰＣ−ＡＶ共存システムのＨＤＤが考えられる。この場合のＨＤＤの構成は、図６に示したＰＣ用途のＨＤＤとして使用される場合の構成と、図７に示したＡＶ用途のＨＤＤとして使用される場合の構成とを組み合わせた構成になる。また、この構成において、データバッファ部８及びデータ蓄積部２は共用可能であり、データ蓄積部もＩＤＥ  ＨＤＤを使用することが可能である。
【００１４】
近年、地球温暖化防止が叫ばれている中、ＰＣ機器またはＡＶ機器においても低消費電力化が推進されている。よって、ＰＣ−ＡＶシステムを実現する場合にも低消費電力化を考える必要がある。以下、ＰＣ用途のＨＤＤとＡＶ用途のＨＤＤとを組み合わせてＰＣ−ＡＶシステムのＨＤＤを構成して、低消費電力化を実現する際に生じる問題点について説明する。
【００１５】
まず、現状のＰＣ機器で用いるＨＤＤの低消費電力化について説明する。ＰＣ機器の周辺機器におけるＨＤＤに関しては、バッテリー駆動を行うノートブックパソコンに搭載される２．５インチＨＤＤがけん引役となり、低消費電力化が進められてきた。またアメリカ政府が１９９３年に制定した環境対応パソコンの基準である、グリーンＰＣ基準により、その１デバイスである３．５インチＨＤＤの低消費電力化も進んでいる。
【００１６】
ＰＣ分野で使用されるＨＤＤとして最も普及しているタイプはＩＤＥタイプ（ＩＤＥドライブ）であり、このタイプのＨＤＤには消費電力を制御するパワーセーブ機能が存在する。なお、他のインターフェース（例えばＳＣＳＩ；Ｓｍａｌｌ  Ｃｏｍｐｕｔｅｒ  Ｓｙｓｔｅｍ  Ｉｎｔｅｒｆａｃｅ）にも同等の消費電力を制御する機能が存在しているが、以降の説明はＩＤＥドライブを例にとって説明する。ＩＤＥドライブの実行モードには、大きく２つに分けて、通常動作モードとパワーセーブモードとがある。通常動作モードとは、ＡＴＡ規格で定義するＡＣＴＩＶＥモード及びＩＤＬＥモードが維持される状態である。またパワーセーブモードとは、ＡＴＡ規格で定義するＳＴＡＮＤＢＹモード及びＳＬＥＥＰモードのことを指す。ＡＣＴＩＶＥモードは通常メディアの実際のアクセス状態（リード、ライト、シーク）のことを指す。ＩＤＬＥ状態は、いつでもＡＣＴＩＶＥモードになれる状態であり、ヘッドが、あるトラックに追従して動作していることが多い（一部の機種はその限りではない）。ＳＴＡＮＤＢＹモードは、ドライブを休止させるモードの１つであり、ＡＴＡコマンドを受信する機能は最低生かしているが、ヘッドを退避させ、スピンドルモーターの回転を停止させている場合もあり、アクセスが必要な場合はスピンドルモーターから立ち上げる。ＳＬＥＥＰモードはＡＴＡコマンドすら受け付けない状態になり、唯一受け付けるのは、ＡＴＡソフトリセットのみであり、スピンドルモーターを始めとするほとんどのブロックは休止状態である。
【００１７】
以上のように、ＩＤＥドライブでは、ＰＣ機器のパワー制御機能に応じた２つの電力モードを定義することが可能である。すなわち、通常消費電力モードとパワーセーブモードの２つである。通常消費電力モードは、常にＨＤＤを通常動作モードに保っておくことで、ＨＤＤに対するメディアアクセス要求に、常に最速で応答できることを目的にしているモードである。パワーセーブモードは、消費電力を極力抑えることを目的にしており、メディアアクセス発生時には通常動作モードに、メディアアクセス終了時にはパワーセーブモードに遷移する。なお、ＩＤＥドライブは、パワーセーブモードから通常消費電力モードに移行する際には、モーターのスピンアップ等消費電力を大きく消耗する関係もあり、アクセス終了後、ある指定時間は通常消費電力モードのまま維持されている。この時間をスタンバイタイムアウト時間と呼ぶ。
【００１８】
ＰＣ機器からＩＤＥ  ＨＤＤ（データ蓄積部）に対するパワーセーブモード要求としては、以下の７つの要求が存在する。
要求１．  ＩＭＭＥＤＩＡＴＥコマンド：直ちにＩＤＬＥモードへ移行する要求。
要求２．ＩＤＬＥコマンドでスタンバイタイムアウト！＝０：スタンバイタイムアウト時間経過後、ＳＴＡＮＤＢＹモードへ移行、その後、コマンド発生毎にスタンバイタイムアウト経過後、ＳＴＡＮＤＢＹモードへ移行する要求（スタンバイタイムアウト動作）。
要求３．ＩＤＬＥコマンドでスタンバイタイムアウト＝０：直ちにＩＤＬＥモードへ、すなわちスタンバイタイムアウト動作を解除する要求。
要求４．ＳＴＡＮＤＢＹ  ＩＭＭＥＤＩＡＴＥコマンド：直ちにＳＴＡＮＤＢＹモードへ移行する要求。
要求５．ＳＴＡＮＤＢＹコマンドでスタンバイタイムアウト！＝０：スタンバイタイムアウト時間経過後、ＳＴＡＮＤＢＹモードへ移行、その後、コマンド発生毎にスタンバイタイムアウト経過後、ＳＴＡＮＤＢＹモードへ移行する要求。
要求６．ＳＴＡＮＤＢＹコマンドでスタンバイタイムアウト＝０：直ちにＩＤＬＥモードへ、すなわちスタンバイタイムアウト動作を解除する要求。
要求７．ＳＬＥＥＰコマンド：直ちにＳＬＥＥＰモードへ移行する要求。
【００１９】
以上の７つのパワーセーブモード要求は、以下の６つのタイプに分類できる。
タイプａ．今回はパワーセーブモード解除、今後継続的なパワーセーブモード（スタンバイタイムアウト）への影響なし。要求１と要求７とがこのタイプに相当する。
タイプｂ．今回はパワーセーブモード設定、今後継続的なパワーセーブモードへの影響なし。要求４がこのタイプに相当する。
タイプｃ．今回はパワーセーブモード解除、今後継続的なパワーセーブモード設定。要求２がこのタイプに相当する。
タイプｄ．今回はパワーセーブモード解除、今後継続的なパワーセーブモード解除。要求３がこのタイプに相当する。
タイプｅ．今回はパワーセーブモード設定、今後継続的なパワーセーブモード設定。要求５がこのタイプに相当する。
タイプｆ．今回はパワーセーブモード設定、今後継続的なパワーセーブモード解除。要求６がこのタイプに相当する。
【００２０】
以上の６つのタイプに応じた動作がＩＤＥ  ＨＤＤ内で実行される。
なお、ＩＥＥＥ１３９４対応の外部ＨＤＤは、ＩＥＥＥ１３９４ケーブルの物理層及びＳＢＰ−２規格の論理層を通して、ＰＣ機器内蔵のＨＤＤと同様に、直接ＡＴＡコマンドでＰＣ機器よりデータ蓄積部２にパワーセーブモード要求が行われる。これは、ＰＣ−ＡＶ共存システムを考える上で以下の２つの問題が生じる可能性がある。１つは、ＰＣ−ＡＶ共存環境下において、ＰＣ側（ＰＣ接続系）の状態がＡＶ側（ＡＶ接続系）の状態に悪影響を及ぼす可能性があるという問題（問題１）であり、もう１つは、ＡＶ接続系で使用されるストリームデータに対しては即時応答する必要ないが、周期的に一定量のストリームデータに対する応答が必要であり、よって、パワーセーブモードを設定するとストリームデータのデータ蓄積部へのアクセスに支障をきたす可能性があるという問題（問題２）である。
【００２１】
例えば、ＰＣ接続系においてパワーセーブモードが発生している際に、ＡＶ接続系においてストリームデータが処理される場合、ＡＶ接続系の動作に支障をきたさないようにするには、一時的にパワーセーブモードを解除する必要がある。すなわち、ＰＣ−ＡＶ共存下でパワーモード制御を行うためには、従来、ＩＤＥＨＤＤ内部で処理していたパワーモード制御を、ＰＣ接続系およびＡＶ接続系の双方を監視して双方の状態を考慮したパワーモード要求をＩＤＥ  ＨＤＤに対して発行することで行う必要がある。
【００２２】
次に、ＨＤＤを使用したＡＶ機器の低消費電力化に関して説明する。
ＰＣ機器のデータ通信は非周期的に行われるが、ＡＶ機器のデータ通信は、周期的であるという特徴がある。またＰＣ機器のデータ通信はデータ通信要求発生後、できる限り早く応答する必要がある一方、ＡＶ機器のデータ通信は即時応答する必要はないが、周期的に一定量のデータ通信が必要であるという特徴がある。ＡＶデータの記録再生用にＨＤＤを使用した場合、周期的にデータが流れてくることを考慮し、常に通常消費電力モードで動作する状態を維持していた。しかし、実際にはデータ転送レートと、データ転送の際に占有するバッファメモリ部の容量、ＨＤＤの動作特性に依存して、低消費電力化を図ることが可能である。
【００２３】
例えば、ＡＶ機器のＨＤＤとして、図８に示す動作特性を持った３．５インチＩＤＥ  ＨＤＤ及びデータバッファ部を有するＨＤＤを使用したとする。また取り扱うデータはＭＰＥＧ−ＴＳデータで４Ｍｂｐｓの固定レートだとする。ここで２つのモード、通常動作モードと低消費モードとを定義する。通常動作電力モードは、メディアアクセスしていない状態でもＩＤＬＥモードのまま推移するモードである。低消費電力モードは、メディアアクセスしていない状態ではパワーセーブモードに、メディアアクセス時に通常動作モードになるモードである。ここでは、パワーセーブモードはＳＬＥＥＰモードになると仮定する。すなわち、メディアアクセスするためにスピンアップから始まると仮定する。以下に、通常動作電力モード及び低消費電力モードの際の、消費電力値の概算を示す。
【００２４】
2004220382.tif 000003
【００２５】
2004220382.tif 000004
【００２６】
2004220382.tif 000005
注：この間の消費電力はＲｅａｄ／ＷｒｉｔｅとＳｅｅｋの繰り返しであり、最悪値で計算。
2004220382.tif 000006
【００２７】
上述の計算により、この３．５インチＨＤＤを使用して１６ＭＢのデータバッファメモリを使用する場合は、通常動作電力モードでも差が顕著に現れないことを示している。しかし、データバッファメモリが３２ＭＢになった場合、実際の計算は省くが、式（１）〜式（１０）から概算すると、
通常動作電力モードの消費電力（単位はＷｓｅｃ）＝２４１．２Ｗｓｅｃ
低電力動作モードの消費電力（単位はＷｓｅｃ）＝１４６．９Ｗｓｅｃ
と、４０％もの消費電力の差が生じることになる。逆に転送レートが高い（例えばＤＶフォーマットでは２８．８Ｍｂｐｓ）場合、低消費電力モードではかえって消費電力を大きく消費することになる。よって、ＨＤＤを使用したＡＶ機器において低消費電力化を実現するにはストリームデータのデータ転送レート及びストリームデータ転送の際に占有するバッファメモリの容量に応じた制御が行えるようにすべきである。しかしながら、ＰＣ−ＡＶ共存システムのＡＶ接続系で上述のような低消費電力モードを実現するには、上述の２つの問題に加えて、ＰＣとＡＶ機器とが共存する環境下において、ＡＶ側の状態がＰＣ側の状態に悪影響を及ぼす可能性があるという問題が生じる（問題３）。例えば、ＰＣ接続系が確立されているために、いつメディアアクセス要求が来ても即時応答しなければならない状態であるにも関わらず、ＡＶ接続系の転送レートが低いために低消費電力モードで動作していることは、ＰＣ接続系に対して支障をきたすことになる。よって、ＰＣ−ＡＶシステムのＨＤＤでは、ＩＤＥ  ＨＤＤに対してＰＣ接続系が確立したか否かを考慮したパワーモード要求を発行し、パワーモード制御を行なう必要がある。なお、ＰＣ接続系が確立・開放されることを示す定義として、ＳＢＰ−２規格ではＬＯＧＩＮされた・されていないと表現する。すなわちＬＯＧＩＮされた状態とは、ＰＣ接続系が確立されているために、いつメディアアクセス要求が来ても即時応答しなければならない状態である（注：パワーセーブモードになっていない場合）。
【００２８】
【特許文献１】
特開平１１−２４２５６３号公報
【００２９】
【発明が解決しようとする課題】
以上のように、ＰＣ機器とＡＶ機器との双方に接続して同時動作可能な記録再生装置として、ＰＣ−ＡＶ共存下のＨＤＤを構成し、そのＨＤＤにおいて低消費電力化を行うと、既に述べたような３つの問題が生じる可能性がある。
【００３０】
よって、本発明では、ＰＣ−ＡＶ共存環境下において、ＰＣ側（ＰＣ接続系）の状態がＡＶ側（ＡＶ接続系）の状態に悪影響を及ぼす可能性がある、という問題を解決することができる記録再生装置を提供することを目的としている。
【００３１】
また、本発明では、ＡＶ接続系で使用されるストリームデータに対して、パワーセーブモードを設定するとストリームデータのデータ蓄積部へのアクセスに支障をきたす可能性がある、という問題を解決することができる記録再生装置を提供することを目的としている。
【００３２】
さらに、本発明では、ＰＣ−ＡＶ共存システムのＡＶ接続系で低消費電力モードを実現するには、上述の２つの問題に加えて、ＰＣとＡＶ機器とが共存する環境下においては、ＡＶ側の状態がＰＣ側の状態に悪影響を及ぼす可能性がある、という問題を解決することができる記録再生装置を提供することを目的としている。
【００３３】
【課題を解決するための手段】
本発明の請求項１にかかる記録再生装置は、時系列上でのデータタイミングに依存しないブロックデータをデータ通信に適合したパケットデータにして通信する、または前記パケットデータおよび第１の制御要求を受信するパケットデータ通信部と、前記パケットデータ通信部が受信した第１の制御要求を解析するブロックデータ制御部と、前記パケットデータ通信部が受信したパケットデータをブロックデータに組み替える、またはブロックデータをパケットデータに組み替えて前記パケットデータ通信部に送るブロックデータ通信部と、時系列上のタイミングに依存し、圧縮符号化された符号化データを送受信する、または前記符号化データを通信するための第２の制御要求を受信する符号化データ通信部と、前記符号化データ通信部が受信した第２の制御要求を解析するストリームデータ制御部と、前記符号化データを或るデータ集合単位にまとめたストリームデータに組み替える、またはストリームデータを時系列上のデータタイミングに依存する符号化データに変換して前記符号化データ通信部に送るストリームデータ通信部と、前記符号化データが受信されているか否かを監視するストリームデータ監視部と、前記ブロックデータまたは前記ストリームデータを一時的に格納するデータバッファ部と、後述するデータ蓄積部にパワーモード制御要求を発行するパワーモード制御部と、前記データバッファ部との間で、前記ブロックデータの書き込み若しくは読み出し、または前記ストリームデータの記録若しくは再生を行うために前記ストリームデータの書き込み若しくは読み出しを行なうとともに、前記パワーモード制御部が発行するパワーモード制御要求に従ったパワーモードで動作するデータ蓄積部と、を備え、前記ストリームデータ制御部は、前記記録再生装置が、前記ストリームデータに対して、再生、記録、再生の停止、記録の停止、のいずれの動作を実行中かを認識し、前記パワーモード制御部は、前記ブロックデータ制御部から通知される前記第１の制御要求の解析結果と、前記ストリームデータ制御部から通知される前記第２の制御要求の解析結果及びストリームデータの状態を示す認識結果と、前記ストリームデータ監視部から通知される監視結果とに基づいて、前記パワーモード制御要求を発行することを特徴とする。
【００３４】
これにより、ＰＣ接続系とＡＶ接続系とが共存し、同時に動作が可能な記録再生装置にパワー制御モードが加わり、ＰＣ接続系からのパワーセーブ要求がＡＶ接続系に支障をきたさない記録再生装置が実現される。
【００３５】
本発明の請求項２にかかる記録再生装置は、請求項１に記載の記録再生装置において、前記ブロックデータは、ＩＥＥＥ１３９４インターフェースで取り扱えるアシンクロナスデータであり、前記符号化データは、ＩＥＥＥ１３９４インターフェースで取り扱えるアイソクロナスデータであり、前記データ蓄積部は、磁気、光等の媒体記憶装置またはメモリ装置等のランダムアクセス装置であることを特徴とする。
【００３６】
これにより、ＩＥＥＥ１３９４インターフェースで接続され、ＡＶ接続系とＰＣ接続系を同時動作が可能で、データの蓄積がランダムアクセスにより可能な装置が実現される。
【００３７】
本発明の請求項３にかかる記録再生装置は、請求項１に記載の記録再生装置において、前記パワーモード制御部は、前記ブロックデータ制御部から前記第１の制御要求が消費電力の制御要求、すなわちパワーセーブ要求であるという通知を受けた際に、前記ストリームデータ制御部から前記ストリームデータの再生が実行されているという通知または前記第２の制御要求が再生開始要求であるという通知を受けた場合には、前記データ蓄積部に対してパワーセーブモードで動作することを中断させるためのパワーモード制御要求を発行し、その後、前記ストリームデータ制御部からストリームデータの再生が停止されたという通知を受けた場合には、直ちに前記データ蓄積部に対してパワーセーブモードで動作させるためのパワーモード制御要求を発行することを特徴とする。
【００３８】
これにより、ＡＶ接続系で再生中あるいは再生開始時にＰＣ接続系で設定されたパワーセーブモードの影響なしに動作することを可能にする。
【００３９】
本発明の請求項４にかかる記録再生装置は、請求項１に記載の記録再生装置において、前記パワーモード制御部は、前記ブロックデータ制御部から前記第１の制御要求が消費電力の制御要求、すなわちパワーセーブ要求であるという通知を受けた際に、前記ストリームデータ制御部からストリームデータの録画が実行されているという通知または前記第２の制御要求が録画開始要求であるという通知を受け、さらに、前記ストリームデータ監視部から前記符号化データを受信中であるという通知を受けた場合には、前記データ蓄積部に対してパワーセーブモードで動作することを保留または中断させるためのパワーモード制御要求を発行し、その後、前記ストリームデータ制御部からストリームデータの録画が停止されたという通知を受けた場合には、直ちに前記データ蓄積部に対してパワーセーブモードで動作させるためのパワーモード制御要求を発行することを特徴とする。
【００４０】
これにより、ＡＶ接続系で録画中でストリームの受信中あるいは録画開始でストリーム受信がある時にＰＣ接続系で設定されたパワーセーブモードの影響なしに動作することを可能にする。
【００４１】
本発明の請求項５にかかる記録再生装置は、請求項１に記載の記録再生装置において、前記パワーモード制御部は、前記ブロックデータ制御部から前記第１の制御要求が消費電力の制御要求、すなわちパワーセーブ要求であるという通知を受けた際に、前記ストリームデータ制御部からストリームデータの録画が実行されているという通知を受けたが、前記ストリームデータ監視部から前記符号化データが受信されていない口空き状態である若しくは該口空き状態にすでになっていたという通知を受けた場合、または前記ストリームデータ制御部からストリームデータの再生及び録画が停止されているという通知を受けた場合には、前記データ蓄積部に対してパワーセーブモードで動作させるためのパワーモード制御要求を発行し、その後、前記ストリームデータ監視部から口空き状態でなくなったという通知を受けた場合には、直ちに前記データ蓄積部に対してパワーセーブモードでの動作を解除させるためのパワーモード制御要求を発行することを特徴とする。
【００４２】
これにより、ＡＶ接続系で録画中でも口空き状態の時は、ＰＣ接続系で設定されたパワーセーブモードで動作することを可能にする。
【００４３】
本発明の請求項６にかかる記録再生装置は、時系列上のタイミングに依存し、圧縮符号化された符号化データを送受信する、または符号化データを通信するための制御要求を受信する符号化データ通信部と、前記符号化データ通信部が受信した制御要求を解析するストリームデータ制御部と、前記符号化データを或るデータ集合単位にまとめたストリームデータに組み替える、またはストリームデータを時系列上のデータタイミングに依存する符号化データに変換して前記符号化データ通信部に送るストリームデータ通信部と、前記符号化データが受信されているか否かを監視するストリームデータ監視部と、前記ストリームデータを一時的に格納するデータバッファ部と、後述するデータ蓄積部にパワーモード制御要求を発行するパワーモード制御部と、前記データバッファ部との間で、前記ストリームデータの録画または再生を行うために前記ストリームデータの書き込みまたは読み出しを行なうとともに、前記パワーモード制御部が発行するパワーモード制御要求に従ったパワーモードで動作するデータ蓄積部と、を備え、前記ストリームデータ制御部は、前記記録再生装置が、前記ストリームデータに対して、記録、再生、再生の停止、記録の停止、のいずれの動作を実行中かを認識し、前記パワーモード制御部は、前記ストリームデータ制御部から通知される前記制御要求の解析結果、ストリームデータの状態を示す認識結果、前記データ蓄積部の動作特性、前記データバッファ部の容量、及びストリームデータのデータ転送レートと、前記ストリームデータ監視部から通知される符号化データの受信状態とに基づいて、前記パワーモード制御要求を発行することを特徴とする。
【００４４】
これにより、占有されるデータバッファのメモリサイズ、及びデータ転送レートに依存して、より低い消費電力モードを選択することが実現される。
【００４５】
本発明の請求項７にかかる記録再生装置は、請求項６に記載の記録再生装置において、前記パワーモード制御部は、前記データ蓄積部の動作特性、前記データバッファ部の容量、及び前記ストリームデータの転送レートに基づいて、前記データバッファ部のストリームデータ用に割り当てられる容量と、前記データバッファ部にその容量分のストリームデータが格納される時間、すなわちストリームデータ処理時間と、前記データ蓄積部がパワーセーブモードで動作しない場合、ストリームデータ処理時間中に前記データバッファ部のストリームデータを前記データ蓄積部に移動させるために消費する通常動作消費電力値と、前記データ蓄積部がパワーセーブモードで動作する場合、ストリームデータ処理時間中に前記データバッファ部のストリームデータを前記データ蓄積部に移動させるために消費する低消費電力値とを算出するとともに、前記通常動作消費電力値と前記低消費電力値とを比較し、前記データ蓄積部に対してより少ない消費電力モードで動作させるためのパワーモード制御要求を発行することを特徴とする。
【００４６】
これにより、２つの消費電力モードである通常動作消費電力モード及び低消費電力モードを検討し、実際により低い消費電力モードで動作することを可能にする。
【００４７】
本発明の請求項８にかかる記録再生装置は、請求項１に記載の記録再生装置において、前記パワーモード制御部は、前記ブロックデータ制御部から通知される前記第１の制御要求の解析結果と、前記ストリームデータ制御部から通知される前記第２の制御要求の解析結果、ストリームデータの状態、前記データ蓄積部の動作特性、前記データバッファ部の容量、及びストリームデータのデータ転送レートと、前記ストリームデータ監視部から通知される符号化データの受信状態とに基づいて、前記パワーモード制御要求を発行するものであり、前記データ蓄積部の動作特性、前記データバッファ部の容量、及び前記ストリームデータ転送レートに基づいて、前記データバッファ部のストリームデータ用に割り当てられる容量と、前記データバッファ部にその容量分のストリームデータが格納される時間、すなわちストリームデータ処理時間と、前記データ蓄積部がパワーセーブモードで動作しない場合、ストリームデータ処理時間中に前記データバッファ部のストリームデータを前記データ蓄積部に移動させるために消費する通常動作消費電力値と、前記データ蓄積部がパワーセーブモードで動作する場合、ストリームデータ処理時間中に前記データバッファ部のストリームデータを前記データ蓄積部に移動させるために消費する低消費電力値とを算出するとともに、前記通常動作消費電力値と前記低消費電力値とを比較し、前記データ蓄積部に対してより少ない消費電力モードで動作させるためのパワーモード制御要求を発行することを特徴とする。
【００４８】
これにより、２つの消費電力モードである通常動作消費電力モード及び低消費電力モードを検討し、実際により低い消費電力モードで動作することを可能にする。
【００４９】
本発明の請求項９にかかる記録再生装置は、請求項８に記載の記録再生装置において、前記ブロックデータ制御部は、前記第１の制御要求を解析して、ブロックデータ転送相手が存在するか否かを判断し、その判断結果を前記パワーモード制御部に通知し、前記パワーモード制御部は、前記ブロックデータ制御部からブロックデータ転送相手が存在しないまたは存在しなくなったという通知を受けた際に、前記ストリームデータ制御部から前記ストリームデータの再生が実行されているという通知または前記第２の制御要求が再生開始要求であるという通知を受け、さらに、前記低消費電力値が前記通常動作消費電力値より低いと判断した場合に、前記データ蓄積部に対して低消費電力モードで動作させるためのパワーモード制御要求を発行することを特徴とする。
【００５０】
これにより、２つの消費電力モードである通常動作消費電力モード及び低消費電力モードを検討し、実際に低消費電力モードでの消費電力が通常動作消費電力モードより低い場合、低消費電力モードで動作することを可能にする。
【００５１】
本発明の請求項１０にかかる記録再生装置は、請求項８に記載の記録再生装置において、前記ブロックデータ制御部は、前記第１の制御要求を解析して、ブロックデータ転送相手が存在するか否かを判断し、その判断結果を前記パワーモード制御部に通知し、前記パワーモード制御部は、前記ブロックデータ制御部からブロックデータ転送相手が存在しないまたは存在しなくなったという通知を受けた際に、前記ストリームデータ制御部からストリームデータの録画が実行されているという通知または前記第２の制御要求がストリームデータの録画開始要求であるという通知と、前記ストリームデータ監視部から前記符号化データが受信中であるという通知とを受け、さらに、前記低消費電力値が前記通常動作消費電力値より低いと判断した場合に、前記データ蓄積部に対して低消費電力モードで動作させるためのパワーモード制御要求を発行することを特徴とする。
【００５２】
これにより、ＰＣ接続系でＬＯＧＩＮされたＰＣ機器がない場合でＡＶ接続系が録画時で符号化データを受信中の場合、２つの消費電力モードを算出し、より低い消費電力のプロセスを選択することを可能にする。
【００５３】
本発明の請求項１１にかかる記録再生装置は、請求項８に記載の記録再生装置において、前記ブロックデータ制御部は、前記第１の制御要求を解析して、ブロックデータ転送相手が存在するか否かを判断し、その判断結果を前記パワーモード制御部に通知し、前記パワーモード制御部は、前記ブロックデータ制御部からブロックデータ転送相手が存在しないまたは存在しなくなったという通知を受けた際に、前記ストリームデータ制御部からストリームデータの録画が実行されているという通知を受けたが、前記ストリームデータ監視部から符号化データが受信されていない口空き状態若しくは該口空き状態にすでになっていたという通知を受けた場合、または前記ストリームデータ制御部からストリームデータの再生及び録画が停止されているという通知を受けた場合には、前記データ蓄積部に対して通常動作消費電力モードで動作させるためのパワーモード制御要求を発行し、その後、前記ストリームデータ監視部から口空き状態が解除されたという通知を受け、さらに、前記低消費電力値が通常動作消費電力値より低いと判断した場合に、前記データ蓄積部に対して低消費電力モードで動作させるためのパワーモード制御要求を発行することを特徴とする。
【００５４】
これにより、ＰＣ接続系でＬＯＧＩＮされたＰＣ機器が存在しない場合でＡＶ機器が録画時でも口空き状態の時は、ただちに通常消費電力モードを実行し、口空き状態が解除された場合は、２つの消費電力モードを算出し、より低い消費電力のプロセスを選択することを可能にする。
【００５５】
本発明の請求項１２にかかる記録再生装置は、請求項８に記載の記録再生装置において、前記ブロックデータ制御部は、前記第１の制御要求を解析して、ブロックデータ転送相手が存在するか否かを判断し、その判断結果を前記パワーモード制御部に通知し、前記パワーモード制御部は、前記ブロックデータ制御部からブロックデータ転送相手が存在しているという通知と、前記第１の制御要求が消費電力の制御要求、すなわちパワーセーブ要求であるという通知とを受け、さらに、前記低消費電力値が通常動作消費電力値より低いと判断した場合に、前記データ蓄積部に対して低消費電力モードで動作させるためのパワーモード制御要求を発行することを特徴とする。
【００５６】
これにより、ＰＣ接続系でＬＯＧＩＮされたＰＣ機器が存在する場合でＰＣ接続系からの要求がパワーセーブモードの場合は、２つの消費電力モードを算出し、より低い消費電力のプロセスを選択することを可能にする。
【００５７】
本発明の請求項１３にかかる記録再生装置は、請求項７または８に記載の記録再生装置において、前記符号化データは、ＩＥＥＥ１３９４インターフェースで取り扱えるアイソクロナスデータであり、前記データ蓄積部は、磁気、光等の媒体記憶装置またはメモリ装置等のランダムアクセス装置であることを特徴とする。
【００５８】
これにより、ＩＥＥＥ１３９４インターフェースで接続され、ＡＶ接続系とＰＣ接続系を同時動作が可能で、データの蓄積がランダムアクセスにより可能な装置が実現される。
【００５９】
【発明の実施の形態】
（実施の形態１）
この実施の形態１は、請求項１ないし５の発明に対応するもので、ＰＣ機器及びＡＶ機器の双方と接続してＰＣ接続系及びＡＶ接続系を構成し、ＰＣ機器から要求される消費電力の制御要求、すなわちパワーセーブ要求とＡＶ接続系の状態を考慮して、データ蓄積部（ＩＤＥ  ＨＤＤ）に対するパワーモード制御要求を発行することができる記録再生装置に関するものである。
【００６０】
以下に、本発明の実施の形態１にかかる記録再生装置について、図１を用いて説明する。なお、従来例で示したＨＤＤと同一構成要素について同一符号を付し説明を省略する。
【００６１】
図１において、外部ＨＤＤ機器としての記録再生装置１００は、ＰＣ機器及びＡＶ機器の双方（ともに図示せず）にＩＥＥＥ１３９４ケーブル３及びＩＥＥＥ１３９４ケーブル４を介して接続してＰＣ接続系及びＡＶ接続系を構成することが可能であり、さらに２つの接続系を同時に動作可能である。なお、図１では便宜上、図１上部のＩＥＥＥ１３９４ケーブル３をＰＣ機器と接続してＰＣ接続系を形成し、図１下部のＩＥＥＥ１３９４ケーブル４をＡＶ機器と接続してＡＶ接続系を形成した場合の記録再生装置１００を示しているが、いずれの接続系で動作するかは、接続先の機器の種類によって決定する。
【００６２】
まず、ＰＣ接続系として動作する場合を以下に示す。記録再生装置１００は、ＰＣ機器の外部ＨＤＤとして動作する場合、ＩＥＥＥ１３９４ケーブル３を通してＰＣ機器から送られてくる制御要求（第１の制御要求）をパケットデータ通信部５で受信する。この制御要求は、ＡＴＡコマンド形式に、ＩＥＥＥ１３９４ケーブル３の物理層、及びＳＢＰ−２規格である論理層を通すためにカプセル化されて、ＡＳＹＮＣＲＯＮＯＵＳパケットとして送られてくる。パケットデータ通信部５は、ＩＥＥＥ１３９４規格においてＰＨＹ及びＬＩＮＫと呼ばれるものである。制御要求は、ブロックデータ制御部６に送られて解析されることで、元のＡＴＡコマンドが抽出される。ブロックデータ制御部６は、制御要求が消費電力に関するパワーモード要求である場合、パワーモード制御部７にその解析内容を通知する。一方、制御要求が消費電力制御用以外のコマンドである場合、データ蓄積部２であるＩＤＥ  ＨＤＤにその旨を通知し、その後、記録再生装置１００ではデータ通信が実行される。以下、データ通信について説明する。ＰＣ機器からの制御要求がＲＥＡＤコマンドの場合、データバッファ部８がＡＴＡコマンドに従ったアドレス形式でデータ蓄積部２よりデータを指定データ分だけ読み出す。その際、データバッファ部８はＩＤＥ  ＨＤＤで定義されるブロック単位でデータを読み出す。読み出したデータは、ブロックデータ通信部９に送る。ブロックデータ通信部９は、入力したデータから順にデータを出力する機能（ＦＩＦＯ）を内部に有していて、ブロックデータをＳＢＰ−２で定義されているデータ転送プロトコルに基づいたＡＹＳＯＣＨＲＯＮＯＵＳパケット（アシンクロナスデータ）の形にして、ＩＥＥＥ１３９４ケーブル３に出力する。
【００６３】
なお、ＰＣ機器からの制御要求がＷＲＩＴＥコマンドの場合は、ＲＥＡＤコマンドの時とは逆のデータの流れになる。すなわち、ＩＥＥＥ１３９４ケーブル３から送られてくるパケット化されたデータを、ＨＤＤ内で取り扱えるブロックデータ構成に変換して、データバッファ部８を介してデータ蓄積部２に書き込む。
【００６４】
次に、ＡＶ接続系として動作する場合を以下に示す。記録再生装置１００は、ＡＶ機器の外部ＨＤＤとして動作する場合、ＩＥＥＥ１３９４ケーブル４を通してＡＶ機器からの制御要求（第２の制御要求）を符号化データ通信部１０で受信する。この制御要求は、ＡＶコマンド形式に、ＩＥＥＥ１３９４ケーブル４の物理層、及びＡＶプロトコル規格である論理層を通すためにカプセル化されて、ＡＳＹＮＣＲＯＮＯＵＳパケットとして送られてくる。符号化データ通信部１０は、ＩＥＥＥ１３９４規格においてＰＨＹ及びＬＩＮＫと呼ばれるものである。制御要求は、ストリームデータ制御部１１に通知されて解析されることで、ＡＶコマンドが抽出される。ストリームデータ制御部１１は、制御要求が録画・再生・停止要求である場合、その旨を、パワーモード制御部７に通知するとともに、データ蓄積部２であるＩＤＥ  ＨＤＤにも通知する。これにより記録再生装置１００はデータ通信が実行される。また、ストリームデータ制御部１１は、ＡＶ接続系の状態、すなわちＡＶ接続系が再生、停止、録画の内の、いずれの動作を実行中かを認識し、その認識結果をパワーモード制御部７に通知する。ＡＶ機器からの制御要求が再生要求（ＰＬＡＹコマンド）の場合、データバッファ部８はデータ蓄積部２で定義するデータ単位でデータをデータ蓄積部２から読み出す。例えば、ＤＶフォーマットにおけるフレーム単位や、ＭＰＥＧフォーマットにおけるＤＡＵ単位でデータを読み出す。データバッファ部８はデータ蓄積部２から読み出したデータを、ストリームデータ通信部１２に送る。ストリームデータ通信部１２は内部にＦＩＦＯを有していて、ストリームデータを指定ＡＶ機器対応のデータフォーマット用ＩＳＯＣＨＲＯＮＯＵＳパケット構成（アイソクロナスデータ）にして、ＩＥＥＥ１３９４ケーブル４に出力する。ＡＶ機器からの制御要求が録画要求（ＲＥＣコマンド）の場合は、ＰＬＡＹコマンドの場合とストリームデータの流れが逆であるが、ＲＥＣコマンドの場合は、ストリームデータ監視部１３がストリームデータ通信部１２を監視して、ストリームデータがＡＶ接続系で流れているか否かを常に監視する。ストリームデータ監視部１３は、その監視結果をパワーモード制御部７に通知する。なお、ストリームデータが流れていない状態を口空き状態と呼び、以下で説明を行う。
【００６５】
パワーモード制御部７は、ブロックデータ制御部６が解析したＰＣ機器からのパワーモード要求と、ストリームデータ制御部１１が解析したＡＶ機器からの制御要求と、ストリームデータ制御部１１が認識したＡＶ接続系の状態の変化と、ストリームデータ監視部１３からのストリームデータの受信状態に関する監視結果とに基づいて、パワーモード制御要求を作成し、データ蓄積部２に発行する。
【００６６】
以下、記録再生装置１００のパワーモード制御動作の詳細について図２を用いて説明する。
まず、パワーモード制御部７の起動（ステップＳ１）は、パワーセーブ有効・無効の要求の通知がブロックデータ制御部６からあった場合、またはストリームが変化したことを示す通知があった場合である。なお、ストリームが変化したことを示す通知とは、ストリームデータ制御部１１からの、制御要求の通知若しくはＡＶ接続系の状態が変化したことを示す通知、またはストリームデータ監視部１３からの監視結果の通知である。パワーモード制御部７は、起動後、ブロックデータ制御部６からの通知を確認し（ステップＳ２）、パワーセーブ無効の要求であれば、パワーセーブ解除コマンドをデータ蓄積部２に発行する（ステップＳ３）。これによりデータ蓄積部２は通常動作消費電力モードになる（ステップＳ４）。一方、パワーモード有効の要求の通知を受けた、あるいはストリームが変化した場合は、ストリームデータ制御部１１が認識したＡＶ接続系の状態を確認し（ステップＳ５）、さらにＡＶ接続系が録画時にはストリームデータ監視部の監視結果を確認する（ステップＳ６）。ステップＳ５でＡＶ接続系の状態を再生状態と判断した場合、またはステップＳ６でＡＶ接続系が録画状態であり、かつストリームデータを受信中であると判断した場合は、ＰＣ接続系のパワーセーブモードがＡＶ接続系に支障をきたさないよう、パワーセーブモードを一時中断するコマンドをデータ蓄積部２に発行し（ステップＳ７）、これによりデータ蓄積部２は通常動作消費電力モードになる（ステップＳ８）。ステップＳ５でＡＶ接続系が停止状態であることを判断した場合及びステップＳ６でＡＶ接続系が録画状態だが口空き状態であると判断した場合は、ＡＶ接続系はストリームデータ処理が行われていない状態であることから、パワーセーブモード処理を行うために、パワーセーブモードが解除されているか否かを判断し（ステップＳ９）、ステップＳ７で、パワーセーブモードが中断されていた場合は、パワーセーブモードを再開するコマンドをデータ蓄積部２に発行する（ステップＳ１０）。一方、パワーセーブモードが解除されていなかった場合は、ブロックデータ制御部６からのパワーセーブ有効の要求に基づいて、パワーセーブコマンドをデータ蓄積部２に発行する（ステップＳ１１）。ステップＳ１０またはステップＳ１１の処理によりデータ蓄積部２はパワーセーブモードとなる（ステップＳ１２）。
【００６７】
このように、本実施の形態１にかかる記録再生装置は、ＰＣ機器及びＡＶ機器の双方と接続してＰＣ接続系及びＡＶ接続系を構成する際に、パワーモード制御部７が、ＰＣ機器から要求されるパワーセーブ要求とＡＶ接続系の状態を考慮して、データ蓄積部（ＩＤＥ  ＨＤＤ）に対するパワーモード制御要求を発行するようにしたことから、ＰＣ接続系及びＡＶ接続系が同時動作中に、ＰＣ接続系からのパワーセーブ要求がＡＶ接続系に支障をきたさないようなパワーモード制御を行うことができる。
【００６８】
（実施の形態２）
この実施の形態２は、請求項６，７，１３の発明に対応するもので、データ蓄積部としてＩＤＥ  ＨＤＤやランダムアクセス装置等を用いてＡＶ接続系を構成し、そのＡＶ接続系の消費電力を極力抑えるために、データ転送速度と、データバッファサイズとから、通常動作モードの消費電力である通常動作消費電力値と、パワーセーブモードと通常動作モードとを組み合わせた消費電力である低消費電力値とを算出して比較し、より少ない消費電力のシーケンスを採用して、データ蓄積部に対するパワーモード制御要求を発行することができる記録再生装置に関するものである。
【００６９】
以下に、本発明の実施の形態２にかかる記録再生装置３００について、図３及び図８を用いて説明する。
図３に示すように、記録再生装置３００は、ＩＥＥＥ１３９４ケーブル４を介してＡＶ機器と接続して外部ＨＤＤとして動作するものであり、図１、すなわち実施の形態１に示す記録再生装置１００のＡＶ接続系と同一構成要素については同一符号を付しその説明を省略する。記録再生装置３００は、パワーモード制御方法が記録再生装置１００のＡＶ接続系と異なる。
【００７０】
パワーモード制御部７は、ストリームデータ制御部１１が解析したＡＶ機器からの制御要求と、ストリームデータ通信部１２が認識したＡＶ接続系の状態の変化と、ストリームデータ監視部１３が監視したストリームデータの受信状態に関する監視結果と、ストリームデータ制御部１１から通知されるデータ転送速度、ストリーム用のデータバッファサイズ、ＩＤＥ  ＨＤＤの動作特性に関する情報とに基づいて、パワーセーブ制御要求を作成し、データ蓄積部２に発行する。
【００７１】
実施の形態１の記録再生装置１００では、ＡＶ接続系が再生状態または録画状態でストリームデータを受信している時には、データ蓄積部２が通常動作消費電力モードになるパワーモード制御を行っていたが、この実施の形態２の記録再生装置３００では、上記の際に、通常動作消費電力モードと低消費電力モードとの電力値を算出し、実際に消費電力が低くなる方のモードを採用する。
【００７２】
電力値の算出は、データ転送速度、ストリーム用データバッファサイズ、ＩＤＥ  ＨＤＤの動作特性に基づいて行う。例えば、図８に示す動作特性に関する情報を受けた場合は、従来例で示したように式（１）〜式（１０）を用いて２つの消費電力値を算出する。ストリーム処理用に占有するデータバッファ部の容量は、設計者の用途に基づき、あらかじめ固定領域を割り当てるか、動的に領域を確保するかは自由である。ストリームデータの転送レートは、ＤＶフォーマットの場合は２８．８Ｍｂｐｓであり、ＭＰＥＧの場合はＡＶコマンドで通知される。
【００７３】
なお、通常動作消費電力モードとは、メディアアクセスしていない状態でもＩＤＬＥモードのまま推移するモードであり、低消費電力モードは、メディアアクセスしていない状態ではパワーセーブモードに、メディアアクセス時には通常動作モードになるモードである。
【００７４】
このように、本実施の形態２にかかる記録再生装置は、ＡＶ機器と接続してＡＶ接続系を構成し、パワーモード制御部７が、データ転送速度と、データバッファサイズとから、通常動作モードの消費電力である通常動作消費電力値と、パワーセーブモードと通常動作モードとを組み合わせた消費電力である低消費電力値とを算出して比較し、より少ない消費電力のシーケンスを採用して、データ蓄積部（ＩＤＥ  ＨＤＤ）に対するパワーモード制御要求を発行するようにしたことから、ＡＶ機器と接続してＡＶ接続系を構成する場合に、消費電力を極力抑えることができる。
【００７５】
（実施の形態３）
この実施の形態３は、請求項８ないし１３の発明に対応するもので、ＰＣ機器とＡＶ機器の双方と接続してＰＣ接続系及びＡＶ接続系を構成し、ＡＶ接続系の消費電力を抑えるために、通常動作モードの消費電力である通常動作消費電力値と、パワーセーブモードと通常動作モードとを組み合わせた消費電力である低消費電力値とを算出して比較し、より少ない消費電力のシーケンスを採用する場合に、ＰＣ接続系に対して支障をきたさないようなデータ蓄積部（ＩＤＥ  ＨＤＤ）に対するパワーモード制御要求を発行することができる記録再生装置に関するものである。
【００７６】
以下に、本発明の実施の形態３にかかる記録再生装置について、図４及び図５を用いて説明する。
本発明の実施の形態３にかかる記録再生装置は、図１、すなわち実施の形態１の記録再生装置１００と同じ構成であるが、ＡＶ接続系が実施の形態３で示した記録再生装置３００と同じパワーモード制御を行うとともに、さらに、ＰＣ接続系のＬＯＧＩＮ・ＬＯＧＯＵＴを考慮して、パワーモード制御要求を発行することを特徴とする。なお、ＰＣ接続系とＬＯＧＩＮされていたか、またはＬＯＧＯＵＴされているかはブロックデータ制御部６が制御要求を解析して判断し、その判断結果はパワーモード制御部７に通知される。以下、実施の形態３にかかる記録再生装置が行なうパワーモード制御について説明する。
【００７７】
パワーモード制御部７の起動（ステップＳ２１）は、ブロックデータ制御部６から、パワーセーブ有効・無効の要求の通知若しくはＰＣ接続状態の変化、すなわち、ＬＯＧＩＮ・ＬＯＧＯＵＴの状態が変化したことの通知、ストリームデータ制御部１１からの、制御要求の通知若しくはＡＶ接続系の状態が変化したことを示す通知、またはストリームデータ監視部１３から監視結果の通知があった場合である。パワーモード制御部７は、起動後、まず、ＰＣ接続系の接続状態を確認し（ステップＳ２２）、ＰＣ接続系確立時、すなわちＬＯＧＩＮ発生時は、低消費電力モードになっている場合も考慮して、データ蓄積部２に対して通常動作消費電力モードに移行させるコマンドを発行する（ステップＳ２３）。一方、ＰＣ接続系の接続が解除された場合、または解除されていた場合、すなわちＬＯＧＯＵＴ発生時またはＬＯＧＯＵＴ状態の場合は、ストリームデータ制御部１１とストリームデータ監視部１３とからの通知を元に以下の処理を施す。ストリームデータが流れていない、すなわちＡＶ接続系が停止状態と判断した場合（ステップＳ２４）またはＡＶ接続系が録画状態であるが口空き状態であると判断した場合（ステップＳ２５）、ＰＣ接続系のアクセスができる限り早く行われるようにするために、データ蓄積部２に対して通常動作消費電力モードへ移行させるコマンドを発行する（ステップＳ２９）。一方、ストリームデータが流れている状態、すなわち、ステップＳ２４でＡＶ接続系が再生状態と判断した場合またはステップＳ２５でＡＶ接続系が録画状態であるがストリームデータを受信中と判断した場合は、実施の形態３で説明した２つの消費電力モードの電力値、通常動作消費電力値及び低消費電力値を算出する（ステップＳ２６）。そして、低消費電力値の方が、消費電力が少ないと判断した場合（ステップＳ２７）、データ蓄積部２に対して低消費電力モードへ移行させるコマンドを発行する（ステップＳ２８）。一方、通常消費電力モードの方が、消費電力が少ないと判断された場合（ステップＳ２７）は、データ蓄積部２に対して通常動作消費電力モードへ移行させるコマンドを発行する（ステップＳ２９）。
【００７８】
次に、ステップＳ２２で、ＰＣ接続系が既に確立している、すなわちＬＯＧＩＮされていると判断した場合のパワーモード制御について説明する。ブロックデータ制御部６からの通知を確認し（ステップＳ４１）、パワーセーブ無効の要求であれば、そのままパワーセーブ解除コマンドをデータ蓄積部２に発行する（ステップＳ４２）。これにより、データ蓄積部２は通常動作消費電力モードになる（ステップＳ４３）。ステップＳ４１で、パワーセーブ有効の要求を判断した場合、あるいはストリームが変化した場合、ＡＶ接続系の状態の確認（ステップＳ４４）、及び録画状態のストリームデータ監視部の監視結果を確認し（ステップＳ４５）、ＡＶ接続系が再生状態の場合または録画状態であるがストリームデータ受信中の場合は、実施の形態３で説明した２つの消費電力モード、通常動作消費電力値及び低消費電力値を算出する（ステップＳ４６）。そして、低消費電力値の方が、消費電力が少ないと判断した場合は（ステップＳ４７）、データ蓄積部２に対して低消費電力モードへ移行させるコマンドを発行する（ステップＳ４８）。一方、ステップＳ４７で通常消費電力モードの方が、消費電力が少ないと判断した場合、ＰＣ接続系のパワーセーブモードがＡＶ接続系に支障をきたさないよう、パワーセーブモードを一時中断するコマンドを発行し（ステップＳ４９）、これによりデータ蓄積部２は通常動作消費電力モードになる（ステップＳ５０）。一方、ステップＳ４４でＡＶ接続系が停止状態であると判断した場合及びステップＳ４５でＡＶ接続系が録画状態で口空き状態であることを確認した場合は、ＡＶ接続系はストリームデータ処理が行われていない状態であることから、パワーセーブモード処理を行うために、パワーセーブモードが解除されているか否かを判断し（ステップＳ５１）、ステップＳ４９で、パワーセーブモードが中断されていた場合、パワーセーブモードを再開するコマンドをデータ蓄積部２に発行する（ステップＳ５２）。一方、パワーセーブモードが解除されていなかった場合は、ブロックデータ制御部６からのパワーセーブ有効の要求に基づいて、パワーセーブコマンドをデータ蓄積部２に発行する（ステップＳ５３）。ステップ５２またはステップ５３の処理によりデータ蓄積部２はパワーセーブモードとなる（ステップＳ５４）。
【００７９】
このように、本実施の形態３にかかる記録再生装置は、ＰＣ機器及びＡＶ機器の双方と接続してＰＣ接続系及びＡＶ接続系を構成し、パワーモード制御部７が、通常動作モードの消費電力である通常動作消費電力値と、パワーセーブモードと通常動作モードとを組み合わせた消費電力である低消費電力値とを算出して比較し、より少ない消費電力のシーケンスを採用する場合に、ＰＣ接続系に対して支障をきたさないようなパワーモード制御要求をデータ蓄積部（ＩＤＥ  ＨＤＤ）に対して発行するようにしたことから、ＰＣ接続系とＡＶ接続系との状態を考慮しつつ、消費電力を極力抑えることができるパワーモード制御を行うことができる。
【００８０】
なお、記録再生装置１００または記録再生装置３００で使用されるデータ蓄積部２としては、ＩＤＥ  ＨＤＤの他に、光の記録媒体を使用する記録装置、メモリ等のランダムアクセス装置が考えられる。
【００８１】
【発明の効果】
以上のように、本発明の記録再生装置によれば、ＰＣ機器及びＡＶ機器の双方と接続してＰＣ接続系及びＡＶ接続系を構成し、ＰＣ機器から要求されるパワーセーブ要求とＡＶ接続系の状態を考慮して、データ蓄積部に対するパワーモード制御要求を発行するようにしたことから、ＰＣ接続系及びＡＶ接続系が同時動作中に、ＰＣ接続系からのパワーセーブ要求がＡＶ接続系に支障をきたすことなく、それぞれの接続系に対して効率的なパワーモード制御が行うことができる効果がある。
【００８２】
また、本発明の記録再生装置によれば、ＡＶ機器と接続してＡＶ接続系を構成し、データ転送速度と、データバッファサイズとから、通常動作モードの消費電力である通常動作消費電力値と、パワーセーブモードと通常動作モードとを組み合わせた消費電力である低消費電力値とを算出して、それらの値を比較し、より少ない消費電力のシーケンスを採用して、データ蓄積部に対するパワーモード制御要求を発行するようにしたことから、ＡＶ接続系の消費電力を極力抑えたパワーモード制御を行うことができる効果がある。
【００８３】
また、本発明の記録再生装置によれば、ＰＣ機器及びＡＶ機器の双方と接続してＰＣ接続系及びＡＶ接続系を構成し、通常動作モードの消費電力である通常動作消費電力値と、パワーセーブモードと通常動作モードとを組み合わせた消費電力である低消費電力値とを算出して、それらの値を比較し、より少ない消費電力のシーケンスを採用して、かつ、ＰＣ接続系に対して支障をきたさないようなパワーモード制御要求をデータ蓄積部に対して発行するようにしたことから、ＰＣ接続系とＡＶ接続系の状態を考慮しつつ、ＡＶ接続系の消費電力を極力抑えることができるパワーモード制御を行うことができる効果がある。
【図面の簡単な説明】
【図１】本発明の実施の形態１にかかる記録再生装置の構成を示すブロック図である。
【図２】本発明の実施の形態１にかかる記録再生装置のパワーモード制御部の動作説明を行うためのフローチャート図である。
【図３】本発明の実施の形態２にかかる記録再生装置の構成を示すブロック図である。
【図４】本発明の実施の形態３にかかる記録再生装置のパワーモード制御部の動作説明を行うためのフローチャート図である。
【図５】本発明の実施の形態３にかかる記録再生装置のパワーモード制御部の動作説明を行うためのフローチャート図である。
【図６】ＰＣ機器とＩＥＥＥ１３９４インターフェースを介して接続するハードディスク装置の構成を示すブロック図である。
【図７】ＡＶ機器とＩＥＥＥ１３９４インターフェースを介して接続するハードディスク装置の構成を示すブロック図である。
【図８】３．５インチＨＤＤの動作特性を示す図である。
【符号の説明】
２  データ蓄積部
３  ＩＥＥＥ１３９４ケーブル（ＰＣ接続）
４  ＩＥＥＥ１３９４ケーブル（ＡＶ接続）
５  パケットデータ通信部
６  ブロックデータ制御部
７  パワーモード制御部
８  データバッファ部
９  ブロックデータ通信部
１０  符号化データ通信部
１１  ストリームデータ制御部
１２  ストリームデータ通信部
１３  ストリームデータ監視部
１００，３００  記録再生装置
６００，７００  ＨＤＤ
【図１】
2004220382.tif 000007
【図２】
2004220382.tif 000008
【図３】
2004220382.tif 000009
【図４】
2004220382.tif 000010
【図５】
2004220382.tif 000011
【図６】
2004220382.tif 000012
【図７】
2004220382.tif 000013
【図８】
2004220382.tif 000014